(57)【要約】  【課題】  間柱が屋内側に開口した溝を有する断面形状であるにもかかわらず棚受けをワンタッチ操作によって迅速に取り付けることができ、しかも、専用の棚受け支柱やその取付け手間が不要で棚受け取付け位置の自由度が高く、棚受け取付け位置の変更を迅速に行うことができるようにした組立家屋の棚受け構造を提供する。  【解決手段】  屋内側に開口した溝ａを有する間柱１と間柱１の間に、主板部５と、主板部の左右両端から内側に折曲形成された両側板部６と、各側板部の内端から間柱の溝内に向けて折り曲げ連設された折曲板部７とを備えた壁パネル２を設置した組立家屋において、前記折曲板部に設けた二枚重ね板部に上下方向に間隔を隔てて少なくとも２個の貫通孔ａを形成し、これらの貫通孔に、棚受け３ａ、３ｂ後端に設けられた上側係止片１５の爪部１５ａ，１５ｂと下側係止片１６の爪部１６ａを挿入係止させて、棚受け３ａ、３ｂを壁パネル２で支持させる。  【選択図】  図５
2006158736.tif 000002
【特許請求の範囲】
【請求項１】
屋内側に開口した溝を有する間柱と間柱の間に、主板部と、主板部の左右両端から内側に折曲形成された両側板部と、各側板部の内端から間柱の溝内に向けて折り曲げ連設された折曲板部とを備えた壁パネルを設置した組立家屋において、前記折曲板部に上下方向に間隔を隔てて少なくとも２個の貫通孔を形成し、これらの貫通孔に、棚受け後端に設けられた上側係止片の爪部と下側係止片の爪部を挿入係止させて、棚受けを壁パネルで支持するように構成したことを特徴とする組立家屋の棚受け構造。
【請求項２】
請求項１に記載の組立家屋の棚受け構造であって、前記折曲板部に二重に折り曲げ加工された二枚重ね板部を設け、この二枚重ね板部に前記貫通孔を形成する一方、前記上側係止片には、上向きの爪部と下向きの爪部を設けて前記貫通孔の上下両縁部に係止するように構成し、下側係止片には、少なくとも下向きの爪部を設けて前記貫通孔の下縁部に係止するように構成し、棚受けの棚板支持部と前記上側係止片及び下側係止片との間に位置する縦板部を、それらに対して平面視で略直角に折れ曲がった形状とし、この略直角に折れ曲がった板部を壁パネルの折曲板部と面接触させるように構成したことを特徴とする組立家屋の棚受け構造
【発明の詳細な説明】
【技術分野】
【０００１】
本発明は、例えば、物置やガレージとして使用される組立家屋の棚受け構造に関する。
【背景技術】
【０００２】
屋内側に開口した溝を有する間柱と間柱の間に、主板部と、主板部の左右両端から内側に折曲形成された両側板部と、各側板部の内端から間柱の溝内に向けて折り曲げ連設された折曲板部とを備えた壁パネルを設置した組立家屋においては、屋内に棚板を設ける場合、間柱に棚受けを取り付けるのが一般的である。
【０００３】
しかしながら、間柱が屋内側に開口した溝を有する断面形状であるため、間柱に対する棚受けの取付けには、間柱の側面板部と棚受けの一部とを挟持するクランプ機構とその締付けボルト、あるいは、間柱の側面板部と棚受けの一部を連結するボルト・ナットが必要とされ、何れの場合も、棚受け構造の構成部品点数が多く、しかも、工具を用いた取付け作業となり、棚受けの取付けにかなりの時間を要した。
【０００４】
ところで、特許文献１には、上下方向に間隔を隔てて複数個の貫通孔が形成された断面Ｌ字状の棚受け支柱を壁パネル同士の接合部にボルト・ナットで連結し、棚受けの背面上側に設けられた係止片の爪部を前記貫通孔に挿入係止させて、棚受けを棚受け支柱で支持するようにした組立家屋の棚受け構造が記載されている。
【０００５】
この棚受け構造によれば、棚受け支柱に対する棚受けの取付けは、係止片の爪部を貫通孔に挿入係止させるワンタッチ操作によって迅速に行えるが、係止片が棚受けの背面上側だけに設けられているため、棚受けの上方や左右方向への安定性が悪く、しかも、専用の棚受け支柱と、棚受け支柱を取り付けるための手間及び工具が必要であるから、全体として棚受けの取付けに長時間を要する点では、上記の一般的な従来技術とさほど差異はないと言える。また、この棚受け構造では、棚受けを取り付けたい位置に、予め、棚受け支柱を取り付けておかなければならないので、棚受け取付け位置の自由度が低く、棚受け取付け位置の変更には多大の時間を必要とするといった問題点がある。
【０００６】
【特許文献１】実開昭５４−１８００４号公報
【発明の開示】
【発明が解決しようとする課題】
【０００７】
本発明は、上記の問題点を踏まえてなされたもので、その目的とするところは、間柱が屋内側に開口した溝を有する断面形状であるにもかかわらず棚受けをワンタッチ操作によって迅速に安定良く取り付けることができ、しかも、専用の棚受け支柱やその取付け手間が不要で棚受け取付け位置の自由度が高く、棚受け取付け位置の変更を迅速に行うことができるようにした組立家屋の棚受け構造を提供することにある。
【課題を解決するための手段】
【０００８】
上記の目的を達成するために、本発明が講じた技術的手段は、次の通りである。即ち、請求項１に記載の発明は、屋内側に開口した溝を有する間柱と間柱の間に、主板部と、主板部の左右両端から内側に折曲形成された両側板部と、各側板部の内端から間柱の溝内に向けて折り曲げ連設された折曲板部とを備えた壁パネルを設置した組立家屋において、前記折曲板部に上下方向に間隔を隔てて少なくとも２個の貫通孔を形成し、これらの貫通孔に、棚受け後端に設けられた上側係止片の爪部と下側係止片の爪部を挿入係止させて、棚受けを壁パネルで支持するように構成したことを特徴としている。
【０００９】
請求項２に記載の発明は、請求項１に記載の組立家屋の棚受け構造であって、前記折曲板部に二重に折り曲げ加工された二枚重ね板部を設け、この二枚重ね板部に前記貫通孔を形成する一方、前記上側係止片には、上向きの爪部と下向きの爪部を設けて前記貫通孔の上下両縁部に係止するように構成し、下側係止片には、少なくとも下向きの爪部を設けて前記貫通孔の下縁部に係止するように構成し、棚受けの棚板支持部と前記上側係止片及び下側係止片との間に位置する縦板部を、それらに対して平面視で略直角に折れ曲がった形状とし、この略直角に折れ曲がった板部を壁パネルの折曲板部と面接触するように構成したことを特徴としている。
【発明の効果】
【００１０】
請求項１に記載の発明によれば、間柱の溝内に向けて折り曲げ連設された壁パネルの折曲板部に貫通孔を形成して、棚受け後端に設けられた上側係止片の爪部と下側係止片の爪部を挿入係止させるようにしたので、間柱が屋内側に開口した溝を有する断面形状であるにもかかわらず棚受けをワンタッチ操作によって迅速に安定良く取り付けることができ、しかも、壁パネルの折曲板部に棚受けを取り付け、棚受けを壁パネルで支持するようにしたので、専用の棚受け支柱やその取付け手間が不要で棚受け取付け位置の自由度が高く、棚受け取付け位置の変更を迅速に行うことができる。
【００１１】
請求項２に記載の発明によれば、壁パネルの折曲板部に棚受けを取り付け、棚受けを壁パネルで支持するにもかかわらず強固な取付け構造が実現され、棚受けが安定良く支持される。
【００１２】
即ち、間柱の溝内に向けて折り曲げ連設された壁パネルの折曲板部に二重に折り曲げ加工された二枚重ね板部を設け、この二枚重ね板部に前記貫通孔を形成するので、壁パネルがカラー鋼板等によって形成された板厚の薄いものであっても、棚受けを支持する部位の強度が高くなる。
【００１３】
また、棚板に載置された物品の重量によって、棚受けに鉛直荷重が作用した際、上側係止片には、前方（貫通孔から抜け出す方向）の引張力が作用し、下側係止片には逆方向への圧縮力が作用するが、上側係止片に上向きの爪部と下向きの爪部を設けて貫通孔の上下両縁部に係止するように構成したので、貫通孔の縁部における引張応力が分散されることになる。しかも、棚受けの棚板支持部と前記上側係止片及び下側係止片との間に位置する縦板部を、それらに対して平面視で略直角に折れ曲がった形状とし、この略直角に折れ曲がった板部を壁パネルの折曲板部と面接触させることで、圧縮応力が分散されることになる。
【００１４】
従って、壁パネルの折曲板部に二重に折り曲げ加工した二枚重ね板部が設けられ、当該二枚重ね板部に貫通孔が形成されていることと、引張応力及び圧縮応力が分散されることとによって、貫通孔の縁部が変形するのを防止でき、強固な取付け構造が実現され、棚受けが安定良く支持されるのである。
【発明を実施するための最良の形態】
【００１５】
図１は、例えば物置として使用される組立家屋の棚受け構造を例示し、図２〜図７は、その要部を示す。図において、１は、屋内側に開口した溝ａを有する間柱であり、間柱１と間柱１の間には、壁パネル２が設置されている。３ａ，３ｂは棚受けであり、両棚受け３ａ，３ｂは互いに左右対称形に形成されている。４は左右の棚受け３ａ，３ｂに架設された棚板である。
【００１６】
前記壁パネル２は、図４〜図９に示すように、主板部５と、主板部５の左右両端から内側（屋内側）に折曲形成された両側板部６と、各側板部６の内端から間柱１の溝ａ内に向けて折り曲げ連設された折曲板部７とを備えている。
【００１７】
各折曲板部７は、側板部６の内端から側方へ略直角に折れ曲がった第一板部８と、第一板部８の先端から外側（屋外側）へ略直略に折れ曲がった第二板部９と、第二板部９の外端から側方へ略直角に折れ曲がった第三板部１０と、第三板部１０の先端から外側へ略直角に折れ曲がった第四板部１１とを備えており、第四板部１１の外端から第二板部９の内端までを二重に折り曲げ加工された二枚重ね板部としてある。そして、第三板部１０における二枚重ね板部には、縦長矩形状の貫通孔ｂを上下方向に一定間隔を隔てて複数個ずつ形成してある。
【００１８】
また、折曲板部７における第一板部８には、図６、図９に示すように、上下方向の複数箇所に連結金具挿入孔ｃが形成されており、壁パネル２の両側板部６と間柱１の両側面板部には、互いに対向する位置に複数のボルト挿入孔ｄ，ｅが形成されている。そして、図４に示すように、連結金具挿入孔ｃに挿入された連結金具１２のねじ孔に、前記ボルト挿入孔ｄ，ｅから挿入したボルト１３をねじ込むことによって、間柱１と壁パネル２を連結するように構成してある。
【００１９】
尚、間柱１や棚受け３ａ，３ｂは厚い（例えば２〜３ｍｍ）のカラー鋼板で製造され、壁パネル２はそれらより薄い（例えば０．５ｍｍ）のカラー鋼板で製造されている。
【００２０】
前記棚受け３ａ，３ｂは左右対称形であるため、片側の棚受け３ａについてのみ説明すると、当該棚受け３ａは、図１〜図３、図５、図６に示すように、水平方向に延びる断面Ｌ字状の棚板支持部１４と、棚受け後端に前記貫通孔ｂに対応する上下間隔を隔てて設けられた上側係止片１５及び下側係止片１６と、棚板支持部１４と前記上側係止片１５及び下側係止片１６との間に位置する縦板部１７とを有し、棚板支持部１４の前後両端には棚板４を位置決めするための切欠き部ｆ，ｇが形成されている。
【００２１】
棚板４の前後両端には、図２、図３に示すように、前記切欠き部ｆ，ｇと係合する折曲部４ａ，４ｂが形成され、左右両端には棚板支持部１４に嵌合する折曲部４ｃが形成されている。そして、棚板４前端の折曲部４ａを棚板支持部１４前端の切欠き部ｆに係合させた状態で、棚板４後端の折曲部４ｂを棚板支持部１４後端の切欠き部ｇに上方から落とし込んで係合させることによって、棚板４が前後左右に移動しないように構成してある。４ｄ，４ｅは棚板４の端縁を隠蔽する合成樹脂製の化粧キャップである。
【００２２】
前記上側係止片１５には、上向きの爪部１５ａと下向きの爪部１５ｂを設けて前記貫通孔ｂの上下両縁部に係止するように構成してあり、下側係止片１６には、下向きの爪部１６ａだけを設けて前記貫通孔ｂの下縁部に係止するように構成してある。
【００２３】
前記縦板部１７は、図２、図５に示すように、棚板支持部１４と前記上側係止片１５及び下側係止片１６に対して平面視で略直角に折れ曲がった形状（いわゆるＺ曲げした形状）とされ、この略直角に折れ曲がった板部（Ｚ曲げ板部）を壁パネル２の折曲板部７における第一板部８と面接触させるように構成してある。
【００２４】
上記の構成によれば、間柱１の溝ａ内に向けて折り曲げ連設された壁パネル２の折曲板部７に貫通孔ｂを形成して、棚受け３ａ，３ｂ後端に設けられた上側係止片１５の爪部１５ａ，１５ｂと下側係止片１６の爪部１６ａを挿入係止させるようにしたので、間柱１が屋内側に開口した溝ａを有する断面形状であるにもかかわらず棚受け３ａ，３ｂをワンタッチ操作によって迅速に取り付けることができ、しかも、壁パネル２の折曲板部７に棚受け３ａ，３ｂを取り付け、棚受け３ａ，３ｂを壁パネル２で支持するようにしたので、専用の棚受け支柱やその取付け手間が不要で棚受け取付け位置の自由度が高く、棚受け取付け位置の変更を迅速に行うことができる。棚板４を左右に連続させて架設する場合には、図７に示すように、間柱１の両側に設置された壁パネル２の折曲板部７に形成された貫通孔ｂに、夫々、棚受け３ａ，３ｂの上側係止片１５の爪部１５ａ，１５ｂと下側係止片１６の爪部１６ａを挿入係止することになる。
【００２５】
殊に、図示した実施形態の構成によれば、次の理由により、壁パネル２の折曲板部７に棚受け３ａ，３ｂを取り付け、棚受け３ａ，３ｂを壁パネル２で支持するにもかかわらず強固な取付け構造が実現され、棚受け３ａ，３ｂが安定良く支持されるのである。
【００２６】
即ち、間柱１の溝ａ内に向けて折り曲げ連設された壁パネル２の折曲板部７に二重に折り曲げ加工された二枚重ね板部を設け、この二枚重ね板部に前記貫通孔ｂを形成するので、壁パネル２が薄いカラー鋼板によって形成されたものであるにもかかわらず棚受け３ａ，３ｂを支持する部位の強度が高くなる。
【００２７】
また、棚板４に載置された物品の重量によって、棚受け３ａ，３ｂに鉛直荷重が作用した際、上側係止片１５には、前方（貫通孔ｂから抜け出す方向）の引張力が作用し、下側係止片１６には逆方向への圧縮力が作用するが、上側係止片１５に上向きの爪部１５ａと下向きの爪部１５ｂを設けて貫通孔ｂの上下両縁部に係止するように構成したので、貫通孔ｂの縁部における引張応力が分散される。しかも、棚受け３ａ，３ｂの棚板支持部１４と前記上側係止片１５及び下側係止片１６との間に位置する縦板部１７を、それら（棚板支持部１４と前記上側係止片１５及び下側係止片１６）に対して平面視で略直角に折れ曲がった形状とし、この略直角に折れ曲がった板部を壁パネル２の折曲板部７の第一板部８と面接触させることで、圧縮応力が分散される。
【００２８】
従って、壁パネル２の折曲板部７に二重に折り曲げ加工した二枚重ね板部が設けられ、当該二枚重ね板部に貫通孔ｂが形成されていることと、引張応力及び圧縮応力が分散されることとによって、貫通孔ｂの縁部が変形するのを防止でき、強固な取付け構造が実現され、棚受け３ａ，３ｂが安定良く支持されることになる。
【００２９】
以上、図示の実施形態に基づいて本発明を説明したが、本発明は、図示の実施形態だけに限定されるものではなく、例えば、折曲板部７の全体を二重に折り曲げ加工された二枚重ね板部に構成する等、本発明の要旨を逸脱しない範囲において、種々なる態様で実施し得ることは勿論である。
【図面の簡単な説明】
【００３０】
【図１】本発明に係る組立家屋の棚受け構造を示す概略斜視図である。
【図２】要部の斜視図である。
【図３】要部の縦断側面図である。
【図４】間柱と壁パネルの連結部を示す横断平面図である。
【図５】棚受け取付け部を示す横断平面図である。
【図６】要部の分解斜視図である。
【図７】棚板を左右に連続させる場合の棚受け取付け部を示す横断平面図である。
【図８】壁パネルの一部切欠き平面図である。
【図９】壁パネルの要部の一部切欠き正面図である。
【符号の説明】
【００３１】
１  間柱
２  壁パネル
３ａ，３ｂ  棚受け
４  棚板
５  主板部
６  側板部
７  折曲板部
８  第一板部
９  第二板部
１０  第三板部
１１  第四板部
１５  上側係止片
１５ａ，１５ｂ  爪部
１６  下側係止片
１６ａ  爪部
１７  縦板部
ａ  溝
ｂ  貫通孔
【図１】
2006158736.tif 000003
【図２】
2006158736.tif 000004
【図３】
2006158736.tif 000005
【図４】
2006158736.tif 000006
【図５】
2006158736.tif 000007
【図６】
2006158736.tif 000008
【図７】
2006158736.tif 000009
【図８】
2006158736.tif 000010
【図９】
2006158736.tif 000011